(57)【要約】【課題】  収納された靴や下駄箱の壁などに蓄積された臭いや雑菌に対しても脱臭効果や除菌効果を有効に働かせ、下駄箱内の脱臭や除菌を有効に行わせ得る静電霧化装置付き下駄箱を提供する。【解決手段】  水粒子放出部１と、該水粒子放出部１と対向する対向電極２と、水が供給された水粒子放出部１と対向電極２との間に高電圧を印加する電圧印加部３とを備え、水粒子放出部１と対向電極２との間に高電圧を印加することで水粒子放出部１の水がナノメータサイズの帯電微粒子水を生成する静電霧化装置Ｂを構成し、上記静電霧化装置Ｂを下駄箱Ａ内に備えた。【選択図】        図１
2006061401.tif 000002
【特許請求の範囲】
【請求項１】
水粒子放出部と、該水粒子放出部と対向する対向電極と、水が供給された水粒子放出部と対向電極との間に高電圧を印加する電圧印加部とを備え、水粒子放出部と対向電極との間に高電圧を印加することで水粒子放出部の水がナノメータサイズの帯電微粒子水を生成する静電霧化装置を構成し、上記静電霧化装置を下駄箱内に備えたことを特徴とする静電霧化装置付き下駄箱。
【請求項２】
下駄箱内に開閉自在な開口部を備えて閉空間にできる消臭空間を設け、この消臭空間内の空気を循環させる空気循環装置を設けると共に、空気循環装置による循環空気に帯電微粒子水を放出するように静電霧化装置を配設したことを特徴とする請求項１記載の静電霧化装置付き下駄箱。
【請求項３】
消臭空間を帯電防止材にて形成したことを特徴とする請求項２記載の静電霧化装置付き下駄箱。
【請求項４】
静電霧化装置に空気中の水分を結露させることで水の供給を行う結露水生成装置を設けたことを特徴とする請求項１乃至３のいずれかに記載の静電霧化装置付き下駄箱。
【請求項５】
結露水生成装置で生成する単位時間当たりの結露水の生成量を、静電霧化装置で生成される単位時間当たりのナノサイズの帯電微粒子水の生成量よりも多くしたことを特徴とする請求項４記載の静電霧化装置付き下駄箱。
【請求項６】
下駄箱内の空気を循環させる空気循環装置に設けた空気流路に上流側から下流側にかけて、空気清浄をするフィルタ、静電霧化装置を順に配置したことを特徴とする請求項４記載の静電霧化装置付き下駄箱。
【発明の詳細な説明】
【技術分野】
【０００１】
本発明は、下駄箱に関するものである。
【背景技術】
【０００２】
靴などを収納する下駄箱にあっては、収納された靴に付着した臭いや雑菌が下駄箱内に充満してしまうので、従来から下駄箱には、脱臭や除菌をするために、たとえば臭い成分を吸着させる活性炭のフィルタと下駄箱内の空気を循環させるファンを備えた脱臭装置を配設したり、放電により空気中の酸素や水分を分解させて正イオン及び負イオンを発生させるイオン発生部や下駄箱内の空気を循環させるファンを備えた殺菌装置を配設することが行われていた（たとえば特許文献１参照）。ここで、イオン発生部で発生した正イオン及び負イオンは雑菌と化学反応をして活性種を生成して活性種の分解作用によって雑菌を破壊することができるのである。
【０００３】
しかしながら、厳密に、下駄箱内に充満した臭いや雑菌は、下駄箱内の空気のみならず収納された靴や下駄箱の壁の内部などにも蓄積されてしまう。上記脱臭装置にあっては、ファンで循環させてフィルターを通過させた空気を脱臭するのは有効に行われるのであるが、収納された靴や下駄箱の壁の内部などに蓄積された臭いに対する脱臭作用は薄く、このため下駄箱内の脱臭を有効に行うことができないのであった。また、上記殺菌装置にあっては、ファンの駆動による循環空気にイオン発生部で発生された正イオン及び負イオンを浮遊させて下駄箱内に循環させるのであるが、この下駄箱内の空気に含有した正イオン及び負イオンは空気中に浮遊する雑菌に対しては有効に分解作用を機能させるのであるが、収納された靴や下駄箱の壁の内部などに蓄積された雑菌に対する分解作用は薄く、このため下駄箱内の除菌を有効に行うことができないのであった。
【特許文献１】特開２００１−９７４６４号公報
【発明の開示】
【発明が解決しようとする課題】
【０００４】
本発明は上記の従来の問題点に鑑みて発明したものであって、収納された靴や下駄箱の壁などに蓄積された臭いや雑菌に対しても脱臭効果や除菌効果を有効に働かせ、下駄箱内の脱臭や除菌を有効に行わせ得る静電霧化装置付き下駄箱を提供することを課題とするものである。
【課題を解決するための手段】
【０００５】
上記課題を解決するために本発明の請求項１に係る静電霧化装置付き下駄箱は、水粒子放出部１と、該水粒子放出部１と対向する対向電極２と、水が供給された水粒子放出部１と対向電極２との間に高電圧を印加する電圧印加部３とを備え、水粒子放出部１と対向電極２との間に高電圧を印加することで水粒子放出部１の水がナノメータサイズの帯電微粒子水を生成する静電霧化装置Ｂを構成し、上記静電霧化装置Ｂを下駄箱Ａ内に備えたことを特徴とする。
【０００６】
これによると、静電霧化装置Ｂで生成されたナノメータサイズの帯電微粒子水にあっては、その反応性の高さゆえに悪臭成分の分解やカビ発生の抑制に高い効果を発揮するも単独で存在する場合には寿命が短いといった特徴を有する活性種を内在し、つまり、活性種が水分子に包みこまれているようにして存在しているため寿命が長くなり、しかも、上記のようにナノメータサイズと非常に小さいので空気中に長時間浮遊すると共に拡散性が高いので下駄箱Ａ内の隅々まで帯電微粒子水を行き渡らせることができ、下駄箱Ａ内の空気に多量に浮遊する臭い成分や雑菌に対して活性種による脱臭効果や除菌効果を働かせることができるのであり、また、帯電微粒子水はナノメータサイズと非常に小さく、収納された靴Ｓや壁の内部にも入り込むことが可能であるため、靴Ｓや壁の内部に蓄積された臭い成分や雑菌に対しても活性種による脱臭効果や除菌効果を働かせることができることから、下駄箱Ａ内に特有に発生する臭い成分や雑菌の繁殖に対して有効に脱臭及び除菌を行わせることができるのである。
【０００７】
また、請求項２に係る静電霧化装置付き下駄箱にあっては、請求項１において、下駄箱Ａ内に開閉自在な開口部１７ａを備えて閉空間にできる消臭空間１７を設け、この消臭空間１７内の空気を循環させる空気循環装置Ｃを設けると共に、空気循環装置Ｃによる循環空気に帯電微粒子水を放出するように静電霧化装置Ｂを配設したことを特徴とする。
【０００８】
これによると、下駄箱Ａ内に設けた消臭空間１７に対して集中的且つ強力に静電霧化装置Ｂで発生させた帯電微粒子水による脱臭及び除菌効果を働かせることができるのであり、たとえば臭気成分や雑菌を多量に有する脱ぎたての靴Ｓなどを開口部１７ａから消臭空間１７に収納させると、脱ぎたての靴Ｓに集中的且つ強力に帯電微粒子水による脱臭及び除菌効果を働かせることができ、結果、下駄箱Ａ内への臭いの充満や雑菌繁殖をその元となる部分から防止でき、清潔な下駄箱Ａの確保を有効に図ることができるのである。
【０００９】
また、請求項３に係る静電霧化装置付き下駄箱にあっては、請求項２において、消臭空間１７を帯電防止材にて形成したことを特徴とする。これによると、水への放電で発生した帯電微粒子水は帯電状態にあるが、消臭空間１７の壁などに引き寄せられることなく空間内に自由に浮遊することができ、消臭空間１７の隅々にまで帯電微粒子水による脱臭及び除菌効果を働かせることができるのである。
【００１０】
また、請求項４に係る静電霧化装置付き下駄箱にあっては、請求項１乃至３のいずれかにおいて、静電霧化装置Ｂに空気中の水分を結露させることで水の供給を行う結露水生成装置７を設けたことを特徴とする。これによると、帯電微粒子水の発生に必要な水を空気中の水分から得ることができるから、帯電微粒子水の発生に必要な水を使用者が静電霧化装置Ｂに適宜供給する手間を省くことができ、静電霧化装置Ｂの使い勝手を大幅に向上させることができる。
【００１１】
また、請求項５に係る静電霧化装置付き下駄箱にあっては、請求項４において、結露水生成装置７で生成する単位時間当たりの結露水の生成量を、静電霧化装置Ｂで生成される単位時間当たりのナノサイズの帯電微粒子水の生成量よりも多くしたことを特徴とする。これによると、空気中に放出される帯電微粒子水の量よりも多い水量の水分を空気中から結露させて得ることができ、つまり下駄箱Ａ内の空気を除湿することができるのである。
【００１２】
また、請求項６に係る静電霧化装置付き下駄箱にあっては、請求項４において、下駄箱Ａ内の空気を循環させる空気循環装置Ｃに設けた空気流路２２に上流側から下流側にかけて、空気清浄をするフィルター１９、静電霧化装置Ｂを順に配置したことを特徴とする。これによると、フィルター１９にて清浄された後の空気から静電霧化装置Ｂの結露水生成装置７によって結露水を得ることができ、つまり臭気成分等を含まない空気からの清潔な水をもとに帯電微粒子水を発生させることができ、汚れた帯電微粒子水による下駄箱Ａ内の汚染を防止することができる。
【発明の効果】
【００１３】
本発明は、下駄箱に静電霧化装置を配設し、静電霧化装置で発生するナノメータサイズの帯電微粒子水を下駄箱内に放出することで、下駄箱内の空気に浮遊する臭い成分や雑菌に対して脱臭効果や除菌効果を働かせるのは勿論、収納された靴や下駄箱の壁などに蓄積された臭いや雑菌に対しても脱臭効果や除菌効果を働かせることができ、下駄箱内の脱臭や除菌を有効に行わせることができる効果を有する。
【発明を実施するための最良の形態】
【００１４】
以下、本発明を添付図面に示す実施形態に基いて説明する。
【００１５】
本例の下駄箱Ａは図２のように玄関１２の脇に設けられ、玄関１２側である前面に開口せる下駄箱Ａの本体キャビネット１３の前面開口には複数の引戸状の閉塞部材１４が設けられて開閉自在にされており、この本体キャビネット１３の内部空間には図１のように多数の靴Ｓ等を収納するべく仕切板１５で多数の収納スペース１６に仕切られている。そして、この下駄箱Ａ内には静電霧化装置Ｂが配設されて脱臭及び除菌が施されるのである。
【００１６】
この下駄箱Ａ内に配設する静電霧化装置Ｂは、一対の電極として機能する水粒子放出部１および対向電極２と、水が供給された水粒子放出部１と対向電極２との間に高電圧を印加する電圧印加部３とを備えたもので、水粒子放出部１と対向電極２との間に高電圧を印加することで水粒子放出部１の水からナノメータサイズの帯電微粒子水（ミストＭ）を生成するものである。
【００１７】
この静電霧化装置Ｂとしてはたとえば図３に示すものがある。この静電霧化装置Ｂの例では、詳しくは、液溜め部４と、下端が液溜め部４内に入れられた水に浸される多孔質材からなる棒状の搬送部５と、これら搬送部５の保持及び水に対する電圧の印加のための液印加電極６と、前記搬送部５の先端部の水粒子放出部１と対向する対向電極２と、上記液印加電極６と対向電極２との間に高電圧を印加する電圧印加部３とからなる。
【００１８】
対向電極２と液印加電極６は共にカーボンのような導電材を混入した合成樹脂やＳＵＳのような金属で形成してある。搬送部５は多孔質材で棒状に形成するもので、本実施形態では粒径が２〜５００μｍのセラミック粒子からなり、その隙間の細孔が１〜２５０μｍで連続気泡状に配置されるように形成してある。搬送部５の上端は針状に尖った水粒子放出部１となっており、搬送部５の上部が液印加電極６よりも上方に突出し、下部が液印加電極６から下方に突出して上記液溜め部４内に入れられた水と接触するようになっている。
【００１９】
対向電極２は接地してあり、液印加電極６に電圧印加部３を接続して高電圧を印加すると共に、多孔質材で形成されている搬送部５が毛細管現象により液溜め部４に入れてある水を吸い上げている時、搬送部５の上端の水粒子放出部１が液印加電極６側の実質的な電極として機能する。電圧印加部３としては、電解強度が５００Ｖ／ｍｍ以上、特に７００〜１２００Ｖ／ｍｍの電解強度を与えることができるものが好ましい。
【００２０】
そして、電圧印加部３により搬送部５と対向電極２との間に高電圧を印加することで、水粒子放出部１の水Ｗが高電圧により大きなエネルギーを受けて表面張力を超えて分裂を繰り返すといういわゆるレイリー分裂を起こしてナノメータサイズの粒子径のイオンのミスト（例えば１０〜３０ナノメータ）を発生させる静電霧化がなされ、この時、同時に生成された反応性に富む活性種（ヒドロキシラジカル、スーパーオキサイド等の脱臭・除菌の源となる物質）が、分裂した水に含まれ空気中に飛び出すようにされている。
【００２１】
このようにして、水粒子放出部１から活性種を含んだナノメータサイズの帯電微粒子水（ミストＭ）を発生させるものである。活性種は非常に反応性に富むため、悪臭成分の分解やカビ発生の抑制に高い効果を発揮するが、その反応性が高いため単独で存在する場合には寿命が短い。しかしながら、静電霧化装置Ｂにより得られるナノメータサイズの帯電微粒子水においては、活性種が水分子に包みこまれているようにして存在しているため寿命が長くなり、しかも、上記のようにナノメータサイズと非常に小さいので空気中に長時間浮遊すると共に拡散性が高く、空間の広い範囲において活性種により空気中の脱臭効果、カビや菌の除菌や繁殖の抑制効果を高めることができ、更に、帯電微粒子水はナノメータサイズと非常に小さいので、壁表面の細孔内部に入り込むことが可能で、壁面の付着臭の除去ができることになる。以下に臭気とナノメータサイズの帯電微粒子水に含まれた活性種の脱臭反応式を示す。
【００２２】
アンモニア          2NH3+6・OH→N2+6H2O
アセトアルデヒド    CH3CHO+6・OH+O2→2CO2+5H2O
酢酸                CH3COOH+4・OH+O2→2CO2+4H2O
メタンガス          CH４+4・OH+Ｏ2→CO2+４H2O
一酸化炭素          CO+2・OH→CO2+H2O
一酸化窒素          2NO+4・OH→N2+2O2+2H2O
ホルムアルデヒド    HCHO+4・OH→CO2+3H2O
なお、上記脱臭反応式において、・OHはヒドロキシラジカルを示す。
【００２３】
また、下駄箱Ａ内に配設する静電霧化装置Ｂとしては図４に示すものを用いることも好ましい。図４に示す静電霧化装置Ｂの例では、空気中の水分を結露させることで水粒子放出部１に水を供給する結露水生成装置７を設けている。結露水生成装置７は具体的には放熱部８と冷却部９とを備えたペルチェユニットにて構成されている。ペルチェユニットは、熱伝導性の高いアルミナや窒化アルミニウムから成る絶縁板Ｚの片面側に回路を形成してある一対のペルチェ回路板Ｐ（Ｐ１，Ｐ２）を、互いの回路側が向い合うように対向させ、多数列設してある熱電素子Ｎを両ペルチェ回路板Ｐ１，Ｐ２間で挟持するとともに隣接する熱電素子Ｎ同士を両側の回路で電気的に接続させ、ペルチェ入力リード線Ｌを介してペルチェユニット用電源３８にて為される熱電素子Ｎへの通電により一方のペルチェ回路板Ｐ１側から他方のペルチェ回路板Ｐ２側に向けて熱が移動するように設けたもので、前記一方のペルチェ回路板Ｐ１を冷却部９側に接続するとともに他方のペルチェ回路板Ｐ２を放熱部８側に接続する。本例では図４に示すように、ペルチェ回路板Ｐ２を設けた絶縁板Ｚを放熱部８としての放熱フィンに接続するとともに、ペルチェ回路板Ｐ１を設けた絶縁板Ｚを後述する冷却部９に接続するものである。
【００２４】
冷却部９は、内部に結露水Ｗを溜めることができる液溜め部４が形成されるように上方に開口する略皿状に形成してあり、この冷却部９の内部上面に液印加電極６が設けてある。液印加電極６は、上端部が水粒子放出部１となるもので、多孔質材で形成されるか微細孔や微細溝（図４の例では微細孔６ａ）を有しており、その下端部の冷却部９に貯水されている結露水Ｗを毛細管現象にて放電部となる上端部の水粒子放出部１まで搬送可能な搬送部５となるようにしてある。また、水粒子放出部１を金属で形成したり金属製の表面膜を形成したりして表面の熱伝導性を高く形成するとともに冷却部９に熱的に接続されるように取付けることで、水粒子放出部１の表面に直接結露水Ｗを結露させてこの結露水Ｗを静電霧化させてナノメータサイズの帯電微粒子水を発生させるようにしてもよい。またあるいは、上端部が水粒子放出部１となる多孔質セラミック等からなる搬送部５に液印加電極６を設けてもよい。
【００２５】
なお、この例では、結露水生成装置７で生成する単位時間当たりの結露水の生成量を、静電霧化装置Ｂで生成される単位時間当たりのナノサイズの帯電微粒子水の生成量よりも多くしており、空気中に放出される帯電微粒子水の量よりも多い水量の水分を空気中から結露させて得るようにして空気の除湿を可能にさせている。帯電微粒子水の生成に必要な量以上の結露水は余剰して冷却部９の皿状の液溜め部４に溜められるのであるが、この冷却部９には図４に示すようにオーバーフロー孔１０が設けてあり、内部に溜められた結露水Ｗが一定水位以上となった時に前記オーバーフロー孔１０を介して余剰水を下部の余剰水貯水タンク１１へ排出するようにしている。この余剰水貯水タンク１１は静電霧化装置Ｂに対して着脱可能されており、余剰水貯水タンク１１に溜まった余剰水を外部に適宜廃棄可能にされている。
【００２６】
本例の下駄箱Ａに配設する静電霧化装置Ｂとしては上記いずれの例のものも用いることができ、それぞれ下駄箱Ａ内の空気に浮遊する臭い成分や雑菌に対する脱臭や除菌を施すことができるのは勿論のこと、下駄箱Ａ内に収納された靴Ｓや下駄箱Ａの壁に蓄積された臭い成分や雑菌に対しても脱臭や除菌を施すことができ、下駄箱Ａ内の臭い成分や雑菌に有効に脱臭や除菌を施すことができる。なお、前者の図３のものは上記効果に加え、構成が簡単という利点を有しており、後者の図４のものは上記効果に加え、帯電微粒子水の生成に必要な水の供給が自動に行われて使用者による水補給という煩雑な作業を無くして使い勝手が大幅に向上されると共に、湿気の篭もり易い下駄箱Ａ内の除湿も行うことができてカビの発生防止を有効に図ることができるといった利点を有している。
【００２７】
ところで、静電霧化装置Ｂ付きの下駄箱Ａにあっては、下駄箱Ａ内の空間全体に静電霧化装置Ｂからの帯電微粒子水を放出させて脱臭や除菌を施してもよいが、本例では図１のように、多数の収納スペース１６のうちの任意の一の収納スペース１６を閉空間にできる消臭空間１７としてあり、この消臭空間１７に隣接して静電霧化装置Ｂを有する空気循環装置Ｃが配設され、空気循環装置Ｃで消臭空間１７内の空気を循環させ、この循環空気に静電霧化装置Ｂからの帯電微粒子水を放出させて消臭空間１７の隅々にまで行き渡らせ、消臭空間１７に静電霧化装置Ｂの脱臭効果及び除菌効果を集中的且つ強力に働かせるようにされている。ここで、消臭空間１７は、他の収納スペース１６と同様に前方に開口せる開口部１７ａを備えているが、この開口部１７ａは開閉自在にされていて消臭空間１７を閉空間にできるようにされている。また、消臭空間１７は帯電防止材にて形成されている。しかして、静電霧化装置Ｂで水への放電で発生した帯電微粒子水は帯電状態にあるが、この帯電微粒子水は帯電防止材で構成された消臭空間１７の壁などに引き寄せられることなく空間内に自由に浮遊されるのであり、消臭空間１７の隅々にまで帯電微粒子水による脱臭及び除菌効果を働かせることが可能にされている。また、空気循環装置Ｃは、図５のように、静電霧化装置Ｂの他に、空気流を創出するファン１８、空気清浄を施すフィルター１９、消臭空間１７の空気を吸入するために消臭空間１７に開口する吸気口２０、消臭空間１７に空気を排出するために消臭空間１７に開口する排気口２１を備えて構成されている。詳しくは、吸気口２０から排気口２１に至る空気循環装置Ｃの空気流路２２には、上流側からフィルター１９、ファン１８、静電霧化装置Ｂの順で配設されている。ここで、空気流路２２は吸気口２０と排気口２１とを接続するいわゆるダクト２２ａ内に設けられており、フィルター１９は埃などを取る微細網目層や臭い成分を吸着させる活性炭層や臭い成分を分解させる酸化触媒のハニカム層を積層させて構成されており、吸気口２０に取替可能に配置されている。しかして図４のような結露水生成装置７を備えた静電霧化装置Ｂを用いた場合、フィルター１９にて清浄された後の空気から静電霧化装置Ｂの結露水生成装置７によって結露水を得ることができ、つまり臭気成分等を含まない空気からの清潔な水をもとに帯電微粒子水を発生でき、汚れた帯電微粒子水の放出による下駄箱Ａ内の汚染が防止されている。
【００２８】
具体的に本例では、消臭空間１７の構造としては、図６，７のように消臭空間１７に引出し状の収納函体２３が配置され、下駄箱Ａ内における消臭空間１７の側方隣接部位に空気循環装置Ｃが配置されている。この収納函体２３は底板２４と前板２５と一対の側板２６と奥板２７とで形成された上方に開口せる矩形状の函体であって内部に靴Ｓを収納可能にしており、前板２５の前面には取手２８が設けられ、側板２６には函体側吸気口２９及び函体側排気口３０が設けられている。収納函体２３が消臭空間１７に収納配置されたときには、消臭空間１７の開口部１７ａが前板２５で閉塞されて消臭空間１７が閉空間にされ、函体側吸気口２９が空気循環装置Ｃの吸気口２０と連通されると共に函体側排気口３０が空気循環装置Ｃの排気口２１と連通される。また、奥方程上方に傾斜をした載置面３１ａを有する靴置台３１が収納函体２３の底板２４上に載設されている。この靴置台３１の載置面３１ａにはつま先部を奥方に向けて靴Ｓが載置されるのであり、このとき靴Ｓは収納函体２３内につま先部を上げた状態で且つ足を挿入する靴Ｓの開口Ｓ１が前方に向けるように収納される。また、函体側排気口３０は側板２６の前寄りの部位に設けられると共に函体側吸気口２９は側板２６の奥寄りの部位に設けられていて、収納函体２３内には空気循環装置Ｃによる循環空気が前方から奥方に流れるようにされている。しかして、静電霧化装置Ｂで生成した帯電微粒子水を含む循環空気は開口Ｓ１からつま先部の靴Ｓの内部にまで行き届き易くされている。なお、図中３２は載置面３１ａに載置した靴Ｓをずり落ちないようにするストッパである。
【００２９】
このように消臭空間１７に引出し状の収納函体２３を設けたことによると、図７のように収納函体２３を消臭空間１７から引出し、目で容易に確認しながら靴Ｓを靴置台３１に載置させて収納函体２３内に収納し、この靴Ｓを収納した収納函体２３を消臭空間１７に挿入して収納するといった動作で、靴Ｓを確実に消臭空間１７に収納できることから、消臭空間１７への靴Ｓの出し入れを容易にできるといった利点を有している。更に言うと、収納函体２３が消臭空間１７の開口部１７ａから前方に引出されたときには強制的にオフになり、収納函体２３が消臭空間１７内に収納されたときにのみオンとなるようなリミットスイッチを空気循環装置Ｃに設けても好ましく、これによると、消臭空間１７が閉空間のときにのみ空気循環装置Ｃや静電霧化装置Ｂを作動可能にし、消臭空間１７に静電霧化装置Ｂによる脱臭効果や除菌効果を効率良く働かせることを可能にする。
【００３０】
また、消臭空間１７の構造としては図８のものも好ましい。これは消臭空間１７の開口部１７ａに蓋体３３を設け、この蓋体３３で開口部１７ａを開閉自在にしたものである。詳しくは、この蓋体３３は消臭空間１７の開口部１７ａの上部にヒンジ３４を介して上下に回動自在に吊り支持されている。なお、蓋体３３の前面には取手３５が設けられている。これによると、消臭空間１７の構成の簡単化を図ることができるのである。なお、蓋体３３が消臭空間１７の開口部１７ａを開放したときには強制的にオフになり、蓋体３３が消臭空間１７の開口部１７ａを閉塞したときにのみオンとなるようなリミットスイッチを空気循環装置Ｃに設けても好ましく、これによると、消臭空間１７が閉空間のときにのみ空気循環装置Ｃや静電霧化装置Ｂを作動させ、静電霧化装置Ｂによる脱臭効果や除菌効果を消臭空間１７に効率良く働かせることが可能になる。
【００３１】
また、消臭空間１７の構造としては図９のものも好ましい。これは、空気循環装置Ｃの吸気口２０及び排気口２１を複数設け、これら吸気口２０及び排気口２１を空気循環装置Ｃに隣接する複数の収納スペース１６に連通し、吸気口２０及び排気口２１が連通された収納スペース１６の開口部１７ａを閉塞可能にして閉空間にできる消臭空間１７としたものである。具体的には、空気循環装置Ｃの側方と上方に隣接して位置する各収納スペース１６がそれぞれ消臭空間１７とされ、これら収納スペース１６の開口部１７ａには開口部１７ａを開閉自在にする蓋体３３が設けられている。これによると、下駄箱Ａ内における消臭空間１７の占める割合を高めることができる。
【００３２】
また、消臭空間１７の構造としては図１０，１１のものも好ましい。これは、消臭空間１７に出し入れ可能な引出し状の収納函体２３に空気循環装置Ｃを一体に備えたものである。詳しくは、収納函体２３に、上方に開口せる靴Ｓを収納する靴収納部３６と空気循環装置Ｃを配設する閉空間の装置収納部３７とを設ける。本例では、装置収納部３７は収納函体２３の前端部位に設けられ、収納函体２３のその他の部位が靴収納部３６を構成している。このように引出し状の収納函体２３に空気循環装置Ｃを一体に備えたことによると、消臭空間１７のコンパクト化を図って下駄箱Ａの収納スペース１６を増やすことができるという利点を有している。また、本例では、装置収納部３７に配置した空気循環装置Ｃの排気口２１における靴収納部３６への開口方向に靴収納部３６に収納した靴Ｓの開口Ｓ１を臨ませるようにしてあり、排気口２１から放出される静電霧化装置Ｂの帯電微粒子水を集中的に靴Ｓの内部に吹き込ませるようにしてある。
【図面の簡単な説明】
【００３３】
【図１】本発明の実施の形態の例の下駄箱の要部の斜視図である。
【図２】同上の下駄箱の全体斜視図である。
【図３】同上の静電霧化装置の例の概略側面図である。
【図４】同上の静電霧化装置の他例の概略側面図である。
【図５】同上の空気循環装置の例を示す概略上面図である。
【図６】同上の下駄箱の要部において収納函体を消臭空間に収納した状態における、（ａ）は上面図であり、（ｂ）は側面図である。
【図７】図６の収納函体を消臭空間から引出す状態における、（ａ）は上面図であり、（ｂ）は側面図である。
【図８】下駄箱の要部の他例であって、（ａ）は斜視図であり、（ｂ）は蓋体を開けた状態の側面図であり、（ｃ）は（ｂ）の上面図である。
【図９】下駄箱の要部の更に他例を示す斜視図である。
【図１０】下駄箱の要部の更に他例の収納函体の消臭空間への収納状態における、（ａ）は上面図であり、（ｂ）は側面図である。
【図１１】図１０の収納函体を消臭空間から引出す状態における、（ａ）は上面図であり、（ｂ）は側面図である。
【符号の説明】
【００３４】
１  水粒子放出部
２  対向電極
３  電圧印加部
７  結露水生成装置
１７  消臭空間
１９  フィルター
２２  空気流路
Ａ  下駄箱
Ｂ  静電霧化装置
Ｃ  空気循環装置
【図１】
2006061401.tif 000003
【図２】
2006061401.tif 000004
【図３】
2006061401.tif 000005
【図４】
2006061401.tif 000006
【図５】
2006061401.tif 000007
【図６】
2006061401.tif 000008
【図７】
2006061401.tif 000009
【図８】
2006061401.tif 000010
【図９】
2006061401.tif 000011
【図１０】
2006061401.tif 000012
【図１１】
2006061401.tif 000013